(57)【要約】デジタル・データ・コンテンツに接続された第一の装置における権利管理の方法であって、前記第一の装置は、前記デジタル・データ・コンテンツにアクセスする権利および前記デジタル・データ・コンテンツの使用の状態を反映するための利用可能状態情報を有しており、当該方法は、前記第一の装置がある第二の装置から状態情報の要求を受信する段階と；前記要求の内容を前記利用可能状態情報と比較する段階と；前記比較する段階の結果に従って前記利用可能状態情報中の前記要求された状態情報を選択する段階と；前記要求された状態情報を前記第二の装置に通信チャネルを介して転送する段階と；前記権利を前記第二の装置に複製する段階とを有する方法。
2009521742.tif 000002
【特許請求の範囲】
【請求項１】
デジタル・データ・コンテンツに接続された第一の装置における権利管理の方法であって、前記第一の装置は、前記デジタル・データ・コンテンツにアクセスする権利と、前記デジタル・データ・コンテンツの使用の状態を反映するための利用可能状態情報とを有しており、当該方法は：
・前記第一の装置がある第二の装置から状態情報を要求する要求を受信する段階と；
・前記要求の内容を前記利用可能状態情報と比較する段階と；
・前記比較する段階の結果に従って前記利用可能状態情報中で前記要求された状態情報を選択する段階と；
・前記要求された状態情報を前記第二の装置に通信チャネルを介して転送する段階と；
・前記権利を前記第二の装置に複製する段階とを有する、
権利管理の方法。
【請求項２】
前記第一の装置が権利暗号化鍵を含んでおり、当該方法がさらに：
・前記権利暗号化鍵を前記通信チャネルを介して前記第二の装置に転送する段階を有する、
請求項１記載の権利管理の方法。
【請求項３】
当該方法がさらに：
・前記デジタル・データ・コンテンツを前記通信チャネルを介して前記第二の装置に転送する段階を有する、
請求項１記載の権利管理の方法。
【請求項４】
当該方法がさらに：
・前記通信チャネルをセキュリティで保護する段階を有する、
請求項１ないし３のうちいずれか一項記載の権利管理の方法。
【請求項５】
当該方法がさらに：
・前記選択する段階によって選択されなかった状態情報の完全性を保護する段階を有する、
請求項１記載の権利管理の方法。
【請求項６】
当該方法がさらに：
・前記第二の装置によって前記要求された状態情報の完全性を保護する段階を有する、
請求項１記載の権利管理の方法。
【請求項７】
前記第二の装置が、前記第一の装置から複製された第二の権利と、前記デジタル・データ・コンテンツの使用状態を反映するための第二の状態情報とを有しており、当該方法がさらに：
・前記第二の装置が、前記第二の権利および前記第二の状態情報が権限なしに修正されていないことを検証する段階と；
・前記検証する段階の結果に従って、前記第二の装置が前記第一の装置に前記通信チャネルを介して、前記第二の状態情報の少なくとも一部を返す段階とを有する、
権利管理の方法。
【請求項８】
前記方法がさらに：
・前記通信チャネルをセキュリティで保護する段階を有する、
請求項７記載の権利管理の方法。
【請求項９】
前記方法がさらに：
・前記第二の装置から前記権利を除去する段階を有する、
請求項７記載の権利管理の方法。
【請求項１０】
当該方法が：
・第二の状態情報の前記少なくとも一部を前記第一の装置が前記第二の装置から受信する段階と；
・前記権利および前記利用可能状態情報が権限なしに修正されていないことを前記第一の装置が検証する段階と；
・前記検証する段階の結果に従って、前記第二の状態情報の前記少なくとも一部を、前記利用可能状態情報とマージする段階とを有する、
請求項７記載の権利管理の方法。
【請求項１１】
デジタル・データ・コンテンツに接続された権利管理のための第一の装置であって、前記デジタル・データ・コンテンツにアクセスする権利および前記デジタル・データ・コンテンツの使用状態を反映するための利用可能状態情報を有しており、当該第一の装置がさらに：
・前記第一の装置がある第二の装置から状態情報を要求する要求を受信する受信手段と；
・前記要求の内容を前記利用可能状態情報と比較する比較手段と；
・前記比較する段階の結果に従って前記利用可能状態情報中の前記要求された状態情報を選択する選択手段と；
・前記要求された状態情報を前記第二の装置に通信チャネルを介して転送する転送手段と；
・前記権利を前記第二の装置に複製する複製手段とを有する、
装置。
【請求項１２】
当該第一の装置がさらに：
・当該第一の装置が前記第二の装置から第二の状態情報の前記少なくとも一部を受信するための受信手段と；
・当該第一の装置が、前記権利および前記利用可能状態情報が権限なしに修正されていないことを検証する検証手段と；
・前記検証する段階の結果に従って、前記第二の状態情報の前記少なくとも一部を前記利用可能状態情報とマージするマージ手段とを有する、
請求項１１記載の権利管理のための第一の装置。
【発明の詳細な説明】
【技術分野】
【０００１】
本発明は、デジタル・データ・コンテンツの権利管理の方法および装置に、より詳細には異なる装置間でデジタル・データ・コンテンツを共有するための方法および装置に関する。
【背景技術】
【０００２】
デジタル著作権管理システム（DRM:  Digital  Rights  Management）は、デジタル・コンテンツの使用をコントロールし、デジタル・コンテンツを不正な頒布および複製に対して保護する技術である。DRMシステムでは、コンテンツはコンテンツ暗号化鍵（CEK:  content  encryption  key）によって暗号化され、次いで暗号化されたコンテンツがそのコンテンツを購入するユーザーの装置に伝送される。さらに、ユーザーがそのコンテンツに対して何をできるかを記述する、コンテンツに関連付けられた権利がある。権限を与えられたユーザーのみが暗号化されたコンテンツ、コンテンツ鍵および権利を、自分の準拠装置を使って受領できる。状態付き権利（Stateful  Rights）とは権利オブジェクト（right  objects）であって、該権利オブジェクトにおいて表現されている制約および許可が正しく実施できるよう、装置が該権利オブジェクトについて明示的に状態情報を維持しなければならないようなものである。状態付き権利の例は「あるコンテンツを3回再生する」「30日以内の期間中にあるコンテンツを再生する」または「30日以内の期間中に電子書籍をプリントする」といったものでありうる。
【０００３】
今日、ユーザーはますます多くのデジタルCE装置を有しており、デジタル・データ・コンテンツを消費者の望みのままに複数の装置または一つの装置において便利に楽しむことを望んでいる。換言すれば、使用の規則を破ることなく、状態付き権利を種々の装置の間で共有することが望ましい。しかしながら、現行のDRMシステムは、状態付き権利を共有するための柔軟な方法を提供しない。
【０００４】
OMA（Open  Mobile  Alliance）のDRM規格V2.0によれば、権利発行者が、あるコンテンツに関連付けられた状態付き権利を特定の装置に対して発する場合、そのコンテンツおよび状態付き権利はその装置においてのみ使用できる。たとえばそのコンテンツが何回消費されたかについての状態情報はその装置内に保持されるべきである。ユーザーがこのコンテンツを別の装置からもアクセスしたい場合、ユーザーはそのコンテンツを権利発行者から状態付き権利とともに購入する必要がある。
【０００５】
OMA  DRM  V2.0機構におけるもう一つの選択肢は、一組の装置をグループ化することによって権限付与ドメインを形成することである。ドメイン内の装置は同じ権利を共有しうる。これはつまり、ある装置がある権利発行者から状態付き権利、たとえば「3回再生する」を取得すると、そのドメイン内の他の任意の装置も同じ権利「3回再生する」をもつということを意味する。しかし、各装置においてそのコンテンツが何回消費されたかについてのいかなる状態情報も、装置間で共有してはならない。それは、そのコンテンツは、ドメイン内の各装置において独立にのみ消費できるということを意味する。したがって、前記方法は、消費者が望むままに異なる装置においてコンテンツを使用するための柔軟性および便利さを提供できない。特許出願US2005/0060571A1は、諸アイテムに関連付けられるよう適応された諸権利を、権利供給者から権利消費者に転送する方法を開示している。しかしながら、この方法は統一された権利状態マネージャを要求するので、すべての装置がオンラインでなければならない、つまり、権利状態マネージャへのアクセスをもたねばならない。この方法は、オンラインでない装置間でのコンテンツ共有への解決策を提供するものではない。この発明のもう一つの問題は、装置が新しい権利を生成することを許容するということである。これは漏洩、それに基づいてそのコンテンツの権利に署名している権利発行者の署名を横領する危険を引き起こす。
【発明の開示】
【発明が解決しようとする課題】
【０００６】
権利そのものは変わらないながら装置間でデジタル・データ・コンテンツを共有するために、装置における権利管理の改良された方法を提案することが本発明の一つの目的である。
【課題を解決するための手段】
【０００７】
前記目的は、デジタル・データ・コンテンツに接続された第一の装置における権利管理の方法であって、前記第一の装置は、前記デジタル・データ・コンテンツにアクセスする権利および前記デジタル・データ・コンテンツの使用の状態を反映するための利用可能状態情報（available  state  information）を有しており、当該方法は、前記第一の装置がある第二の装置から状態情報の要求を受信する段階と；前記要求の内容を前記利用可能状態情報と比較する段階と；前記比較する段階の結果に従って前記利用可能状態情報中の前記要求された状態情報を選択する段階と；前記要求された状態情報を前記第二の装置に通信チャネルを介して転送する段階と；前記権利を前記第二の装置に複製する段階とを有する方法、において達成される。
【０００８】
この目的はまた、デジタル・データ・コンテンツに接続された権利管理のための第一の装置であって、前記デジタル・データ・コンテンツにアクセスする権利および前記デジタル・データ・コンテンツの使用の状態を反映するための利用可能状態情報を有しており、当該第一の装置がさらに、前記第一の装置がある第二の装置から状態情報の要求を受信する受信手段と；前記要求の内容を前記利用可能状態情報と比較する比較手段と；前記比較する段階の結果に従って前記利用可能状態情報中の前記要求された状態情報を選択する選択手段と；前記要求された状態情報を前記第二の装置に通信チャネルを介して転送する転送手段と；前記権利を前記第二の装置に複製する複製手段とを有する装置、においても達成される。
【０００９】
したがって、本発明は、コンテンツが装置間で便利に共有されうる権利管理方法を提供する。同時に、権利の完全性（integrity）が保護される。
【００１０】
他の目的および成果ならびに本発明の十全なる理解は、以下の記述および請求項を付属の図面とともに参照することによって明白となり、理解されるであろう。
【００１１】
図面において、同一の部分は同一の参照符号によって示されている。
【発明を実施するための最良の形態】
【００１２】
図１は、本発明に基づく権利管理方法のフローチャートである。
【００１３】
本発明は、デジタル・データ・コンテンツに接続された第一の装置における権利管理の方法であって、前記第一の装置は、前記デジタル・データ・コンテンツにアクセスする権利および前記デジタル・データ・コンテンツの使用の状態を反映するための利用可能状態情報を有しており、当該方法は、前記第一の装置が第二の装置から状態情報の要求を受信する段階１０１を有する。
【００１４】
最初に、前記第一の装置（パソコン、PDA、テレビなど）が、通常はサービス・プロバイダーであることができる権利発行者から、権利およびデジタル・データ・コンテンツ（たとえばダウンロードされたデジタル音楽）を取得する。デジタル・データ・コンテンツはコンテンツ暗号化鍵（CEK）で暗号化されており、前記権利はこのCEKを含む。本発明では、権利は状態付き権利である。状態付き権利は、コンテンツに対するいくつかの制約、たとえばコンテンツを再生できる回数または時間期間を有する。そのコンテンツがどのくらい使われたかを示すために、状態情報が状態付き権利に関連付けられるべきである。該権利に関連付けられた状態情報は、該権利が前記第一の装置において前記状態付き権利の制約に従って適正に使用されることができるよう、前記第一の装置において維持され、管理されねばならない。状態情報の完全性が守られるべきであり、よって装置中の権限を与えられたDRM（デジタル著作権管理）エージェントのみが使用状態を変更できる。前記第一の装置は前記利用可能状態情報を生成し、該利用可能状態情報はコンテンツの使用状態を反映するためにその値を変える。たとえば、コンテンツが一度使われたら、状態情報の値は一度減少する。
【００１５】
前記第一の装置が状態付き権利、たとえば「10回再生する」を取得するとする。第二の装置（MP3のような）も前記第一の装置のコンテンツを再生する権利を取得したい。そのとき、第二の装置は前記第一の装置に要求、たとえば「4回再生する」を送ってもよい。段階１０１で、第一の装置が要求「4回再生する」を受信する。本発明では、状態情報を要求する装置は複数であってもよい。
【００１６】
本方法は、前記要求の内容を前記利用可能状態情報と比較する段階１０２をも有する。段階１０２では、第一の装置が前記要求の内容を前記利用可能状態情報と比較して、前記利用可能状態情報が前記要求の要件を満たすことができるかどうかを検査する。
【００１７】
本方法は、前記比較する段階１０２の結果に従って、前記利用可能状態情報中の前記要求された状態情報を選択する段階１０３をも有する。前記利用可能状態情報が要求された状態情報より多い場合（利用可能状態情報「10回」は「4回」よりも多い）、段階１０３において、要求された状態情報（「4回」）が利用可能状態情報中で選択される。前記利用可能状態情報が要求された状態情報より少ない場合には、段階１０４において、第一の装置は要求を拒否する。
【００１８】
本方法はまた、前記要求された状態情報を前記第二の装置に通信チャネルを介して転送する段階１０５を有する。その後、段階１０５において、第一の装置が前記要求された状態情報（「4回」）を前記第二の装置に通信チャネルを介して転送する。通信チャネルは有線チャネルでも無線チャネルでもよい。
【００１９】
本方法はまた、前記権利を前記第二の装置に複製する段階１０６をも有する。最終的に段階１０６において、前記権利が第二の装置に複製される。これは、前記権利の完全性が守られるように行われる。すなわち、前記権利はサービス・プロバイダーによって発行され、署名された権利であり、第一の装置は新しい権利を発行しない。
【００２０】
さらに、前記第一の装置は権利暗号化鍵を有していてもよい。したがって、本発明は、前記権利暗号化鍵を前記第二の装置に前記通信チャネルを介して転送する段階（図示せず）を有する方法を提供する。前記権利におけるCEKは権利暗号化鍵（REK:  Rights  Encryption  Key）で暗号化されてもよい。これは、コンテンツおよびCEKのセキュリティを高めることをねらいとしている。次いで、暗号化されたCEKを取得し、それに基づいてコンテンツを復号するために、第二の装置はREKを必要とする。したがって、第一の装置は前記第二の装置に前記通信チャネルを介してREKを送る。
【００２１】
デジタル・データ・コンテンツは第一の装置上に保持されてもよいし、リモート・サーバーに保持されてもよい。前者の状況では、第一の装置は前記デジタル・データ・コンテンツを前記第二の装置に前記第二の通信チャネルを介して転送する。したがって、本発明は、前記デジタル・コンテンツを前記第二の装置に前記通信チャネルを介して転送する段階を有する方法を提供する。
【００２２】
本発明はまた、前記通信チャネルをセキュリティ保護する段階を有する方法をも提供する。これは、第一の装置および第二の装置が安全な認証チャネル（SAC:  secure  authentication  channel）を確立するということを意味する。次いで、第一の装置から第二の装置に転送される要求された状態情報（たとえば「4回再生する」）およびREKは、SACを介して転送されてもよい。一例として、SACは、公開鍵基盤（PKI:  Public  Key  Infrastructure）認証および鍵交換プロトコルを使って確立できる。これは、ISO/IEC標準、情報技術―セキュリティ技法―鍵管理ISO/IEC11770に従って実行できる。
【００２３】
本発明はまた、前記選択する段階１０３によって選択されなかった状態情報の完全性を保護する段階を有する方法をも提供する。該状態情報は、選択されなかった状態情報、すなわち残留状態情報と呼ばれてもよい。要求された状態情報が選択されたとき、選択されなかった状態情報（上の例における「6回」）の完全性が保護されるべきである。これは、権限なしで修正されないべきであるということを意味する。選択されなかった利用可能状態情報の完全性を保護する方法は、たとえば、前記選択されなかった利用可能状態情報に第一の装置がデジタル署名することを含んでいてもよいし、あるいはいわゆる「ハッシュ関数」を使ってもよい。デジタル署名は、標準、たとえばデジタル署名標準（DSS:  Digital  Signature  Standard）［FIPS186,  1994］に従って実行できる。もう一つの可能な方法は、その状態情報のハッシュ値を計算し、ハッシュ値を安全な記憶装置に保存することである。結果として、状態情報の完全性は、状態情報の署名を、使用された署名方法、たとえばDSSに従って検証することによって、保護できる。ハッシュ値を安全に保存する方法が使われる場合は、完全性検証は単に、状態情報の新しいハッシュ値を計算し、その新しいハッシュ値を安全な記憶装置に保存されている古いハッシュ値と、つまり状態情報が変えられたことを、比較することによって達成できる。
【００２４】
同様に、本方法は、前記第二の装置による前記要求された状態情報の完全性を保護する段階をも有する。要求された状態情報が第二の装置に転送されたとき、前記要求された状態情報の完全性は保護されるべきである。これは、権限なしで修正されないべきであるということを意味している。前記要求状態情報の完全性を保護する方法はたとえば、上に例解したように、前記要求された状態情報に第二の装置がデジタル署名することを含んでいてもよいし、あるいはハッシュ関数を使ってもよい。
【００２５】
さらに、本発明は、権利管理の方法であって、前記第二の装置が、前記第一の装置から複製された第二の権利と、前記デジタル・データ・コンテンツの使用の状態を反映するための第二の状態情報とを有しており、当該方法はさらに、前記第二の装置が、前記第二の権利および前記第二の状態情報が権限なしに修正されていないことを検証する段階を有する、方法をも提供する。たとえば、前記第二の装置がすでに一度再生した場合、前記第二の装置における前記第二の状態情報（残り状態情報）「3回」が第一に装置に返されてもよい。第二の装置が状態情報を第一の装置にマージのために送る前に、第二の装置は、前記第二の権利および第二の状態が権限なしに修正されていないことを保証するために、前記第二の権利および前記第二の状態情報を検証する。
【００２６】
本方法はまた、前記検証段階の結果に基づいて、前記第二の装置が、前記第二の状態情報の少なくとも一部を前記第一の装置に前記通信チャネルを介して返す段階をも有する。前記第二の権利および前記第二の状態情報が権限なく修正されていなければ、前記第二の装置は前記第一の装置にその状態情報のすべてを返すことができるべきである。明らかに、第二の装置は、「2回」のような、状態情報の一部を返してもよい。
【００２７】
本発明はまた、前記第二の装置から前記権利を除去する段階を有する方法をも提供する。第二の装置がその状態情報のすべてを第一の情報に返す状況のもとでは、第二の装置は権利を留保するべきではない。よって、権利は第二の装置から除去される。
【００２８】
図２は、本発明のもう一つの権利管理方法のフローチャートを示している。
【００２９】
本発明は、前記第一の装置が前記第二の装置から、第二の状態情報の前記少なくとも一部を受信する２０１方法を提供する。上に例解したように、前記第二の装置は第一の装置にその状態情報の全部または一部を返してよい。それに対応して、第一の装置は前記第二の装置から、状態情報の前記少なくとも一部を受信する。引き続き上の例を続けると、第二の装置が「3回」という状態を第一の装置に返す場合、まず段階２０１において、第一の装置は状態情報「3回」を受信する。
【００３０】
この方法はまた、前記第一の装置による、前記権利および前記利用可能状態情報が権限なしに修正されていないことの検証段階２０２をも有する。その後、段階２０２において、第一の装置が、前記権利および前記利用可能状態情報の両方が権限なしに修正されていないことを検証する。
【００３１】
この方法はまた、前記検証段階２０２の結果に基づいて、前記第二の状態情報の前記少なくとも一部を前記利用可能状態情報とマージする段階２０３をも有する。段階２０２における検証結果が肯定的であれば、最終的に段階２０３において、第一の装置が、「3回」と利用可能状態情報「6回」とをマージして、新しい状態「9回」を生成する。さらに、第一の装置は、それまでに何回か、たとえば「2回」再生していてもよい。その場合、第一の装置における利用可能状態情報は「4回」であり、結果として、新しい状態情報は「7回」である。
【００３２】
図３は、本発明に基づく権利管理のためのシステムを表している。
【００３３】
本発明は、データ・コンテンツに接続された権利管理の第一の装置であって、前記デジタル・コンテンツにアクセスする権利および前記デジタル・データ・コンテンツの使用の状態を反映するための利用可能状態情報を有しており、当該第一の装置がさらに、前記第一の装置が第二の装置から要求状態情報を受信する受信手段３１１と；前記要求の内容を前記利用可能状態情報と比較する比較手段３１２と；前記比較する段階の結果に従って前記利用可能状態情報において前記要求された状態情報を選択する選択手段３１３と；前記要求された状態情報を前記第二の装置に通信チャネルを介して転送する転送手段３１４と；前記権利を前記第二の装置に複製する複製手段３１５とを有する装置を提案する。
【００３４】
本発明はまた、前記第一の装置が前記第二の装置から第二の状態情報の前記少なくとも一部を受信するための受信手段３２１と；前記第一の装置が、前記権利および前記利用可能状態情報が権限なしに修正されていないことを検証するための検証手段３２２と；前記検証段階２０２の結果に基づいて、前記第二の状態情報の前記少なくとも一部を前記利用可能状態情報とマージするためのマージ手段３２３とをさらに有する権利管理のための第一の装置をも提案する。
【００３５】
機能ブロック３１１および３１２は図３では別個に図示されているが、実際上同じ手段であってもよい。
【００３６】
上記の本発明の実施形態は、限定的な意味ではなく例示的な意味に解釈されることが意図されていることを注意しておくべきであろう。当業者は、本発明の範囲から外れることなくそれらの実施形態にさまざまな修正をなすことができる。
【図面の簡単な説明】
【００３７】
【図１】本発明に基づく権利管理方法のフローチャートを示す図である。
【図２】本発明に基づくもう一つの権利管理方法のフローチャートを示す図である。
【図３】本発明に基づく権利管理のためのシステムを表す図である。
【図１】
2009521742.tif 000003
【図２】
2009521742.tif 000004
【図３】
2009521742.tif 000005
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
デジタル・データ・コンテンツに接続された第一の装置における権利管理の方法であって、前記第一の装置は、前記デジタル・データ・コンテンツにアクセスする権利と、前記デジタル・データ・コンテンツの使用の状態を反映するための利用可能状態情報とを有しており、当該方法は：
・前記第一の装置がある第二の装置から要求状態情報を受信する段階と；
・前記要求の内容を前記利用可能状態情報と比較する段階と；
・前記比較する段階の結果に従って前記利用可能状態情報中で前記要求された状態情報を選択する段階と；
・前記要求された状態情報を前記第二の装置に通信チャネルを介して転送する段階と；
・前記権利を前記第二の装置に複製する段階とを有する、
権利管理の方法。
【請求項２】
前記第一の装置が権利暗号化鍵を含んでおり、当該方法がさらに：
・前記権利暗号化鍵を前記通信チャネルを介して前記第二の装置に転送する段階を有する、
請求項１記載の権利管理の方法。
【請求項３】
当該方法がさらに：
・前記デジタル・データ・コンテンツを前記通信チャネルを介して前記第二の装置に転送する段階を有する、
請求項１記載の権利管理の方法。
【請求項４】
当該方法がさらに：
・前記通信チャネルをセキュリティで保護する段階を有する、
請求項１ないし３のうちいずれか一項記載の権利管理の方法。
【請求項５】
当該方法がさらに：
・前記選択する段階によって選択されなかった状態情報の完全性を保護する段階を有する、
請求項１記載の権利管理の方法。
【請求項６】
当該方法がさらに：
・前記第二の装置によって前記要求された状態情報の完全性を保護する段階を有する、
請求項１記載の権利管理の方法。
【請求項７】
前記第二の装置が、前記第一の装置から複製された第二の権利と、前記デジタル・データ・コンテンツの使用の状態を反映するための第二の状態情報とを有しており、当該方法がさらに：
・前記第二の装置が、前記第二の権利および前記第二の状態情報が権限なしに修正されていないことを検証する段階と；
・前記検証する段階の結果に従って、前記第二の装置が前記第一の装置に前記通信チャネルを介して、前記第二の状態情報の少なくとも一部を返す段階とを有する、
権利管理の方法。
【請求項８】
前記方法がさらに：
・前記通信チャネルをセキュリティで保護する段階を有する、
請求項７記載の権利管理の方法。
【請求項９】
前記方法がさらに：
・前記第二の装置から前記権利を除去する段階を有する、
請求項７記載の権利管理の方法。
【請求項１０】
当該方法が：
・第二の状態情報の前記少なくとも一部を前記第一の装置が前記第二の装置から受信する段階と；
・前記権利および前記利用可能状態情報が権限なしに修正されていないことを前記第一の装置が検証する段階と；
・前記検証する段階の結果に従って、前記第二の状態情報の前記少なくとも一部を、前記利用可能状態情報とマージする段階とを有する、
請求項７記載の権利管理の方法。
【請求項１１】
デジタル・データ・コンテンツに接続された権利管理のための第一の装置であって、前記デジタル・データ・コンテンツにアクセスする権利および前記デジタル・データ・コンテンツの使用の状態を反映するための利用可能状態情報を有しており、当該第一の装置がさらに：
・前記第一の装置がある第二の装置から状態情報の要求を受信する受信手段と；
・前記要求の内容を前記利用可能状態情報と比較する比較手段と；
・前記比較する段階の結果に従って前記利用可能状態情報中の前記要求された状態情報を選択する選択手段と；
・前記要求された状態情報を前記第二の装置に通信チャネルを介して転送する転送手段と；
・前記権利を前記第二の装置に複製する複製手段とを有する、
装置。
【請求項１２】
当該第一の装置がさらに：
・当該第一の装置が前記第二の装置から第二の状態情報の前記少なくとも一部を受信するための受信手段と；
・当該第一の装置が、前記権利および前記利用可能状態情報が権限なしに修正されていないことを検証する検証手段と；
・前記検証段階の結果に従って、前記第二の状態情報の前記少なくとも一部を前記利用可能状態情報とマージするマージ手段とを有する、
請求項１１記載の権利管理のための第一の装置。
【国際調査報告】
2009521742.tif 000006
2009521742.tif 000007
2009521742.tif 000008